(57)【特許請求の範囲】
【請求項１】
合成樹脂製のベースと、該ベース上に固着された複数枚のタイルとを備えてなる床タイルユニットにおいて、
該ベースは、該タイル同士の間に入り込む目地部を有しており、
該ベースの下側へ吹き込んだ風を該目地部から上方へ流出させるための開口が、該タイルの辺部同士の間の該目地部に、各辺部の長手方向に間隔をおいて複数個設けられていることを特徴とする床タイルユニット。
【請求項２】
請求項１において、前記目地部の上面は前記タイルの上面と略同一高さとなっており、前記開口は目地部の該上面に設けられていることを特徴とする床タイルユニット。
【請求項３】
合成樹脂製のベースと、該ベース上に固着された複数枚のタイルとを備えてなる床タイルユニットであって、
該ベースは、該タイル同士の間に入り込む目地部を有しており、
該ベースの下側へ吹き込んだ風を該目地部から上方へ流出させるための開口が該目地部に設けられている床タイルユニットにおいて、
前記目地部の上面は前記タイルの上面と略同一高さとなっており、前記開口は目地部の該上面に設けられており、
前記床タイルユニットの周縁部に半幅の目地部が設けられ、該半幅の目地部の高さは前記目地部と同一であり、該半幅目地部にも風流出用の開口が設けられていることを特徴とする床タイルユニット。
【発明の詳細な説明】
【０００１】
【発明の属する技術分野】
本発明は、屋上やバルコニー等に敷設するのに好適な床タイルユニットに係り、詳しくは合成樹脂製のベースと、該ベース上に固着された複数枚のタイルとを備えてなる床タイルユニットに関する。さらに詳しくは、このベースの下側への風の流入を防止するための遮蔽部材を備えた床タイルユニットに関する。
【０００２】
【従来の技術】
屋上、バルコニー、ベランダ、テラス、土間、コンクリート引きの廊下などを手軽にタイル敷設面とすることができる床タイルユニットが近年普及しつつある。この床タイルユニットは、通常、方形の合成樹脂製のベースと、このベースの上面に接着剤で固着されたタイルとを備えてなる。
【０００３】
ベースは、軽量化及び柔軟な屈曲性（下地の不陸への追随性）等のために、厚み方向に貫通する多数の貫通部を有する。このベースは、タイル１枚分の大きさに形成された複数のタイル張付部と、該タイル張付部同士を橋わたし状につなぐタイ部とが合成樹脂により一体的に成形されたものである。このタイル張付部は、通常、方形であり、各タイル張付部は枡目状に整列配置されている。
【０００４】
このベースの隣接する１対の２辺には突片が設けられ、残りの２辺には、この突片が係合する受容部が設けられている。複数枚の床タイルユニットがバルコニー等に敷設される場合、隣り合う床タイルユニットが突片と受容部との結合により連結され、一体的なシート状の床タイルユニット連結体とされる。
【０００５】
バルコニー等に敷設された床タイルユニットの下側に強風が吹き込むと、床タイルユニットが捲れ上がることがある。この捲れ防止のために、床タイルユニットのタイルの１枚を省略し、その部分にタイルと同じ大きさのメッシュを設けることが公知である（特開平９−３１７１３５号）。
【０００６】
【発明が解決しようとする課題】
このようなメッシュはタイルと同一寸法、同一配置となっているにも関わらず、ベースと同じ合成樹脂よりなるものであり、周囲のタイルとの質感が合わず見栄えが悪いという短所もある。
【０００７】
本発明は、このような短所を克服し、風抜き用の通気部分に異和感がなく美感に優れる床タイルユニットを提供することを目的とする。
【０００８】
【課題を解決するための手段】
本発明の床タイルユニットは、合成樹脂製のベースと、該ベース上に固着された複数枚のタイルとを備えてなる床タイルユニットにおいて、該ベースは、該タイル同士の間に入り込む目地部を有しており、該ベースの下側へ吹き込んだ風を該目地部から上方へ流出させるための開口が、該タイルの辺部同士の間の該目地部に、各辺部の長手方向に間隔をおいて複数個設けられていることを特徴とするものである。
【０００９】
かかる床タイルユニットにあっては、タイル間の目地部に設けた開口から風が抜けることにより、床タイルユニットの捲れ上がりが防止される。この目地部は、ベースと一体の合成樹脂よりなるものであるが、目地部は一般にタイルとは別の材料（例えばセメントや、合成樹脂系充填材）よりなるものであり、タイルと質感が異なっても格別の異和感は無い。
【００１０】
【発明の実施の形態】
以下、図１〜４を参照して実施の形態について説明する。図１は実施の形態に係る床タイルユニットの斜視図、図２は床タイルユニットの平面図、図３は床タイルユニットの裏面図、図４の（ａ）図は図２のIV−IV線に沿う断面図、（ｂ）図は（ａ）図の一部拡大図である。
【００１１】
この床タイルユニットは、合成樹脂製のベース１０と、該ベース１０上に接着剤で接着されたタイル２０とを有する。
【００１２】
ベース１０は、この実施の形態では正方形状であり、縦横にタイル張付部１１が複数個（この実施の形態では縦、横ともに３個ずつ。合計９個）設けられている。各タイル張付部１１は枡目状に配置され、タイル張付部１１同士はタイ部１２によって連結されている。
【００１３】
また、タイル張付部１１同士の間には、タイル２０同士の間に入り込むように立ち上がる目地部１７がベース１０と一体に合成樹脂の一体成形により設けられている。この目地部１７の上面には、風抜き用の開口１９が設けられている。この目地部１７の上面はタイル２０の上面と略同一高さとなっている。
【００１４】
この床タイルユニットの４周囲には、目地部１７の半幅の半幅目地部１８が設けられており、この半幅目地部１８の上面にも開口１９が設けられている。半幅目地部１８の高さは目地部１７と同一である。２個の床タイルユニットの側面を突き付けた場合、２条の半幅目地部１８同士が並列することにより、１条の目地部１７と同様の目地部が生じる。
【００１５】
なお、タイル張付部１１は、直棒状あるいは環状の部分１３同士の間が厚み方向に貫通している。
【００１６】
このベース１０の隣接する２辺からは突片１４がそれぞれ複数個ずつ突設され、残りの２片にあっては、この突片１４が結合しうる形状の受容部１５が設けられている。
【００１７】
床タイルユニットを複数個並列設置した場合、床タイルユニットの突片１４が隣接する床タイルユニットの受容部１５に係着され、これにより床タイルユニット同士が連結され、一連のシート状物となる。
【００１８】
タイル２０は、各タイル張付部１１上に配列され、エポキシ等の接着剤でベース１０に固着されている。
【００１９】
この開口１９付きの目地部１７及び半幅目地部１８を備えた床タイルユニットは、下側に吹き込んだ風が開口１９から速やかに抜けるので、床タイルユニット連結体の捲れ上がりが防止される。
【００２０】
また、目地部１７及び半幅目地部１８は合成樹脂よりなるが、目地部自体がタイルと異種材料からなっていても異和感はないので、床タイルユニットの見栄えがよい。また、この実施の形態では、目地部１７及び半幅目地部１８がタイル２０と略同一高さとなっているので、素足の足裏が当っても痛くなく使用感に優れる。
【００２１】
この実施の形態では、目地部１７と半幅目地部１８とで囲まれたスペースにタイル２０が配置されているので、タイル２０のベース１０に対する取付耐久性が良い。
【００２２】
なお、床タイルユニットの全周にわたって半幅目地部１８を設ける代わりに隣接する２辺にのみ全幅の目地部を設けても良い。
【００２３】
上記実施の形態では床タイルユニットは正方形であるが、長方形など他の形状であってもよい。
【００２４】
【発明の効果】
以上の通り、本発明の床タイルユニットは、床タイルユニットの捲れ上がりを防止することができると共に、見栄えがよい。
【図面の簡単な説明】
【図１】実施の形態に係る床タイルユニットの斜視図である。
【図２】床タイルユニットの平面図である。
【図３】床タイルユニットの裏面図である。
【図４】（ａ）図は図２のIV−IV線に沿う断面図、（ｂ）図は（ａ）図の一部の拡大図である。
【符号の説明】
１０  ベース
１１  タイル張付部
１２  タイ部
１４  突片
１５  受容部
１７  目地部
１８  半幅目地部
１９  開口
２０  タイル
【図１】
0003885448.tif 000002
【図２】
0003885448.tif 000003
【図３】
0003885448.tif 000004
【図４】
0003885448.tif 000005